(57)【要約】【課題】光源モジュールが着脱可能に取り付けられ、装着時の光源モジュールを点灯する点灯装置において、電圧値が安定した電源を用いて光源モジュールの着脱を判定する。【解決手段】直流生成部１５０は、制御回路６０からの生成制御に基づく安定した電圧値の制御電圧（直流電源Ｖｄｃ）を生成する。そして、制御回路６０は、ランプ接続検出回路３０が出力する制御電圧に基づく検出電圧（ランプ接続検出信号）を監視することで、光源モジュール２００の着脱を判定する。つまり、点灯装置１００は電圧値が安定した制御電圧を用いて光源モジュール２００の着脱を判定することが可能である。【選択図】図１
2014107251.tif 000002
【特許請求の範囲】
【請求項１】
光源が着脱可能に取り付けられ、装着時の前記光源を点灯する点灯装置において、
交流電源から交流電圧が供給され、生成制御を受けることによって、前記交流電圧から前記生成制御に基づく電圧値の直流電圧を制御電圧として生成し、生成した制御電圧を供給する供給部と、
装着時の前記光源を点灯する点灯部であって、前記供給部により前記制御電圧が供給され、装着時の前記光源を点灯させる点灯制御を受けることによって前記制御電圧から前記光源が点灯するのに必要な電圧値以上の点灯電圧を生成する点灯部と、
前記供給部が供給する前記制御電圧が供給されることにより、前記光源が装着されている場合と前記光源が取り外されている場合とで異なる電圧値の検出電圧を出力する光源装着検出部と、
前記供給部と前記点灯部とに対して前記生成制御と前記点灯制御とを行う制御部であって、前記供給部に対して間欠的に前記生成制御を行うことで、間欠的に前記制御電圧を生成させると共に、前記供給部に対して間欠的に前記制御電圧を生成させている場合には、前記点灯部に対する前記点灯制御を停止する制御部と
を備え、
前記光源装着検出部は、
前記供給部から前記制御電圧が間欠的に供給されることにより、間欠的に供給される前記制御電圧に基づく前記検出電圧を間欠的に出力し、
前記制御部は、
前記光源装着検出部が間欠的に出力する前記検出電圧を監視し、監視する前記検出電圧の電圧値に基づき、前記光源が装着されているか否かを判定することを特徴とする点灯装置。
【請求項２】
前記点灯装置は、更に、
前記供給部によって前記点灯部に供給される前記制御電圧を、前記点灯部が動作する、動作しないによらず、前記供給部から前記点灯部への供給を介して、前記検出部に供給される前記制御電圧として前記検出部に伝達する伝達部を備えることを特徴とする請求項１記載の点灯装置。
【請求項３】
前記供給部は、
前記制御部により前記生成制御が停止されている場合、もしくは、前記制御電圧の生成動作に用いる動作用電圧が供給されていない場合には、前記制御電圧の生成を停止すると共に、前記制御電圧の生成を停止している時には、前記交流電源により供給される前記交流電圧から前記交流電圧に基づく電圧値の直流電圧を電源依存電圧として生成し、生成した電源依存電圧を供給し、
前記点灯装置は、更に、
前記供給部により前記制御電圧が供給されている時には前記制御電圧が供給電圧として供給され、前記供給部により前記電源依存電圧が供給されている時には前記電源依存電圧が前記供給電圧として供給され、前記供給部により供給される前記供給電圧を第１の直流電圧に変換して前記制御部に供給する第１電圧変換部を備え、
前記制御部は、
前記第１電圧変換部により供給される前記第１の直流電圧によって動作し、前記制御電圧が間欠的に供給されることにより前記光源装着検出部が間欠的に出力する前記検出電圧の監視の結果、前記光源が装着されていると判定した場合に、前記点灯部に対して前記点灯制御を行い、
前記点灯装置は、更に、
前記点灯制御を受けることによって前記点灯部が生成する前記点灯電圧から第２の直流電圧を取り出して前記第１電圧変換部に供給する第２電圧変換部を備え、
前記第１電圧変換部は、
前記第２電圧変換部により前記第２の直流電圧が供給されると、前記供給部により供給される前記供給電圧から前記第１の直流電圧への変換を停止すると共に、前記第１の直流電圧を前記第２の直流電圧に基づく第３の直流電圧に切り替えて、切り替えた前記第３の直流電圧を前記制御部に供給し、
前記制御部は、
前記第１電圧変換部により前記第３の直流電圧が供給されると、前記第１電圧変換部により供給される前記第３の直流電圧によって動作することを特徴とする請求項１又は２記載の点灯装置。
【請求項４】
前記点灯部は、
前記供給部により前記電源依存電圧が供給され、前記光源が点灯するのに必要な電圧値よりも小さい消灯維持電圧を生成させる消灯維持制御を前記電源依存電圧が供給されている時に前記制御部から受けることによって前記電源依存電圧から前記消灯維持電圧を生成し、
前記制御部は、
前記点灯部に対して前記消灯維持制御を行うことで、前記消灯維持電圧を生成させ、
前記第２電圧変換部は、
前記点灯部により生成される前記消灯維持電圧から前記第２の直流電圧を取り出し、取り出した前記第２の直流電圧を前記動作用電圧として前記供給部に供給し、
前記供給部は、
前記第２電圧変換部により前記第２の直流電圧が前記動作用電圧として供給されると共に、前記制御部により前記生成制御を受けることによって、前記制御電圧を生成することを特徴とする請求項３記載の点灯装置。
【請求項５】
前記制御部は、
前記点灯部に対して間欠的に前記消灯維持制御を行うことで、間欠的に前記消灯維持電圧を生成させ、
前記第２電圧変換部は、
キャパシタンス素子を有し、
前記点灯部により前記消灯維持電圧が生成されている期間においては、前記消灯維持電圧から前記第２の直流電圧を取り出し、取り出した前記第２の直流電圧を前記動作用電圧として前記供給部に供給すると共に、取り出した前記第２の直流電圧に基づく電荷の少なくとも一部を前記キャパシタンス素子に充電し、
前記点灯部により前記消灯維持電圧が生成されていない期間においては、前記キャパシタンス素子に充電された電荷から前記第２の直流電圧を生成し、生成した前記第２の直流電圧を前記動作用電圧として前記供給部に供給することで、前記動作用電圧を継続して前記供給部に供給することを特徴とする請求項４記載の点灯装置。
【請求項６】
前記第１電圧変換部は、
前記第１の直流電圧を前記動作用電圧として前記供給部に供給し、
前記供給部は、
前記第１電圧変換部により前記第１の直流電圧が前記動作用電圧として供給されると共に、前記制御部により前記生成制御を受けることによって、前記制御電圧を生成することを特徴とする請求項３記載の点灯装置。
【請求項７】
前記第１電圧変換部は、
前記第２電圧変換部により供給された前記第２の直流電圧の電圧値を変換し、もしくは維持して、前記第３の直流電圧として供給することを特徴とする請求項３〜６いずれか記載の点灯装置。
【請求項８】
前記点灯装置は、
前記光源としてＬＥＤを点灯させることを特徴とする請求項１〜７いずれか記載の点灯装置。
【請求項９】
請求項１〜８いずれか記載の点灯装置を備えることを特徴とする照明器具。
【発明の詳細な説明】
【技術分野】
【０００１】
本発明は、点灯装置及び照明器具に関するものである。本発明は、特に、光源としてＬＥＤを点灯させる点灯装置及び照明器具に関するものである。
【背景技術】
【０００２】
インバータ回路の発振開始前は主電源から電流制限素子を介してインバータ制御回路に電源を供給し、インバータ回路の発振開始後はインバータ回路の発振出力によりインバータ制御回路に電源を供給するようにした放電灯点灯装置において、インバータ回路の待機時にスイッチング素子を開閉することにより断続的に電流制限素子を介して主電源からインバータ制御回路に電流を供給するように構成した技術がある。（例えば、特許文献１参照。）
【先行技術文献】
【特許文献】
【０００３】
【特許文献１】特開平０７−５７８８７号公報
【発明の概要】
【発明が解決しようとする課題】
【０００４】
しかしながら、インバータ回路の待機時にスイッチング素子を開閉させる必要があり、待機時の制御電源電圧が不安定となるという課題があった。また、スイッチング素子を駆動（開閉）させる制御を行うため、待機電力が大きくなるという課題があった。
【０００５】
本発明は、例えば、光源が着脱可能に取り付けられる点灯装置において、光源を点灯する点灯回路の待機時に、電圧値が安定した電源を得ることを主な目的とする。そして、電圧値が安定した電源を用いて光源の着脱を判定することを主な目的とする。
【課題を解決するための手段】
【０００６】
本発明に係る点灯装置は、
光源が着脱可能に取り付けられ、装着時の前記光源を点灯する点灯装置において、
交流電源から交流電圧が供給され、生成制御を受けることによって、前記交流電圧から前記生成制御に基づく電圧値の直流電圧を制御電圧として生成し、生成した制御電圧を供給する供給部と、
装着時の前記光源を点灯する点灯部であって、前記供給部により前記制御電圧が供給され、装着時の前記光源を点灯させる点灯制御を受けることによって前記制御電圧から前記光源が点灯するのに必要な電圧値以上の点灯電圧を生成する点灯部と、
前記供給部が供給する前記制御電圧が供給されることにより、前記光源が装着されている場合と前記光源が取り外されている場合とで異なる電圧値の検出電圧を出力する光源装着検出部と、
前記供給部と前記点灯部とに対して前記生成制御と前記点灯制御とを行う制御部であって、前記供給部に対して間欠的に前記生成制御を行うことで、間欠的に前記制御電圧を生成させると共に、前記供給部に対して間欠的に前記制御電圧を生成させている場合には、前記点灯部に対する前記点灯制御を停止する制御部と
を備え、
前記光源装着検出部は、
前記供給部から前記制御電圧が間欠的に供給されることにより、間欠的に供給される前記制御電圧に基づく前記検出電圧を間欠的に出力し、
前記制御部は、
前記光源装着検出部が間欠的に出力する前記検出電圧を監視し、監視する前記検出電圧の電圧値に基づき、前記光源が装着されているか否かを判定することを特徴とする。
【発明の効果】
【０００７】
本発明によれば、供給部は、生成制御に基づく安定した電圧値の制御電圧を生成する。そして、制御部は、光源装着検出部が出力する制御電圧に基づく検出電圧を監視することで、光源の着脱を判定する。つまり、本発明に係る点灯装置は電圧値が安定した制御電圧を用いて光源の着脱を判定することが可能である。
【図面の簡単な説明】
【０００８】
【図１】実施の形態１を示す図で、照明器具の構成を示す図。
【図２】実施の形態１を示す図で、光源モジュールの装着検出前の点灯装置の動作を示すシーケンス図。
【図３】実施の形態１を示す図で、点灯装置の動作を示すタイミングチャート。
【図４】実施の形態１を示す図で、光源モジュールの装着検出後の点灯装置の動作を示すシーケンス図。
【図５】実施の形態２を示す図で、照明器具の構成を示す図。
【図６】実施の形態２を示す図で、光源モジュールの装着検出前の点灯装置の動作を示すシーケンス図。
【図７】実施の形態２を示す図で、点灯装置の動作を示すタイミングチャート。
【発明を実施するための形態】
【０００９】
実施の形態１．
（照明器具の概要）
図１は、照明器具８００の構成を示す図である。
照明器具８００は、点灯装置１００と光源モジュール２００とを備える。
点灯装置１００には、光源モジュール２００（光源）が接続（装着）され、交流電源ＡＣから交流電力が供給される。そして、点灯装置１００は、供給された交流電力を接続される光源モジュール２００に応じた電力に変換する。ここで、点灯装置１００は、光源モジュール２００が着脱可能に取り付けられ、接続時の光源モジュール２００を点灯する。
【００１０】
光源モジュール２００は、直列接続された複数の発光ダイオードＬＤと、この直列接続された発光ダイオードＬＤに対して並列に接続される接続抵抗Ｒｓとを有する。すなわち、点灯装置１００は、発光ダイオードＬＤを点灯させる。図１において、光源モジュール２００は６個の発光ダイオードＬＤを有しているが、発光ダイオードＬＤの個数は限定されるものではない。
【００１１】
（点灯装置１００全体の構成）
点灯装置１００は、直流生成部１５０（供給部）、点灯回路２０（点灯部）、第一コンバータ回路４０（第２電圧変換部）、第二コンバータ回路５０（第１電圧変換部）、ランプ接続検出回路３０（光源装着検出部）、制御回路６０（制御部）、ランプ接続検出電圧生成回路２２（伝達部）を備える。そして、直流生成部１５０は、整流回路ＤＢとＰＦＣ（力率改善）回路１０とを備える。
【００１２】
（整流回路ＤＢの説明）
整流回路ＤＢは、ダイオードブリッジ回路であり、交流電源ＡＣから供給された交流電圧を全波整流し、脈流の直流電圧（以下、整流ともいう）を出力する。すなわち、整流回路ＤＢは、交流電圧を脈流の直流電圧に変換する。
【００１３】
（ＰＦＣ回路１０の説明）
ＰＦＣ回路１０は、抵抗Ｒ１、抵抗Ｒ２、インダクタＬ１、スイッチング素子Ｑ１、検出抵抗Ｒ３、ＰＦＣ制御回路１１、ダイオードＤ１、コンデンサＣ１を備える。スイッチング素子Ｑ１は、ＭＯＳ−ＦＥＴである。
ＰＦＣ回路１０は、整流回路ＤＢに接続され、整流回路ＤＢにより変換された脈流は、抵抗Ｒ１と抵抗Ｒ２とによって分圧される。
そして、ＰＦＣ制御回路１１は、制御回路６０からの生成制御を受け、更に、第一制御電源Ｖｃｃ１（後述）が供給されると、抵抗Ｒ２に印加される分圧電圧と、検出抵抗Ｒ３によって検出される検出電圧とを監視する。そして、ＰＦＣ制御回路１１は監視結果に基づいて、スイッチング素子Ｑ１をスイッチング制御する。スイッチング素子Ｑ１がスイッチング制御されることによって、インダクタＬ１に対し電流が充電もしくは放電され、整流回路ＤＢにより変換された脈流の電圧（整流回路ＤＢの出力電圧）は、生成制御に基づく電圧値まで昇圧される。つまり、ＰＦＣ回路１０は、整流回路ＤＢにより出力された脈流を昇圧する。つまり、生成制御とは、制御回路６０がＰＦＣ回路１０に脈流の電圧を昇圧させる制御である。
昇圧された脈流は、ダイオードＤ１を介してコンデンサＣ１に充電されることで平滑化され、ＰＦＣ回路１０は、平滑化された電圧である直流電源Ｖｄｃを出力する。
すなわち、直流生成部１５０（整流回路ＤＢ及びＰＦＣ回路１０）は、交流電源ＡＣから交流電圧が供給される。そして直流生成部１５０は、制御回路６０からの生成制御を受けることによって、交流電圧から生成制御に基づく電圧値の直流電源Ｖｄｃを生成し、生成した直流電源Ｖｄｃを出力（供給）する。
ここで、直流生成部１５０が生成制御を受けることによって生成した直流電源Ｖｄｃを「制御電圧」と称する。更に、直流生成部１５０が生成制御を受けることによって生成した直流電源Ｖｄｃを「昇圧された直流電源Ｖｄｃ」とも称する。
【００１４】
一方、直流生成部１５０（整流回路ＤＢ及びＰＦＣ回路１０）は、制御回路６０からの生成制御が停止されている場合、もしくは、制御電圧の生成動作に用いる動作用電圧が供給されていない場合には、制御電圧の生成を停止する。ここで、制御電圧の生成動作に用いる動作用電圧とは、ＰＦＣ制御回路１１の動作用電圧であり、ＰＦＣ制御回路１１がスイッチング素子Ｑ１のスイッチング制御を行う為に必要な電圧である。
そして、ＰＦＣ回路１０は、制御電圧の生成を停止している時には、交流電源ＡＣにより供給される交流電圧から整流回路ＤＢが変換した脈流を平滑化しただけの直流電源Ｖｄｃを出力する。つまり、スイッチング素子Ｑ１がスイッチング制御されていない場合は、整流回路ＤＢにより出力された脈流は昇圧されない。
すなわち、直流生成部１５０は、制御電圧の生成を停止している時には、交流電源ＡＣにより供給される交流電圧から交流電圧に基づく電圧値の直流電源Ｖｄｃ（直流電圧）を生成し、生成した直流電源Ｖｄｃを出力（供給）する。
ここで、直流生成部１５０が制御電圧の生成を停止している時に生成する交流電圧に基づく電圧値の直流電源Ｖｄｃを「電源依存電圧」と称する。更に、交流電圧に基づく電圧値の直流電源Ｖｄｃを「非昇圧時の直流電源Ｖｄｃ」とも称する。
【００１５】
（点灯回路２０の説明）
点灯回路２０は、コイルＬ２の一次巻線Ｌ２ｐと、スイッチング素子Ｑ２と、ダイオードＤ４と、点灯制御回路２１とを備える。スイッチング素子Ｑ２は、ＭＯＳ−ＦＥＴである。また、コイルＬ２は、一次巻線Ｌ２ｐと後述の二次巻線Ｌ２ｓとを有し、一次巻線Ｌ２ｐと二次巻線Ｌ２ｓとが磁気的に結合されたトランスである。
図１に示す点灯回路２０は、いわゆるバックコンバータ回路を構成しているが、他の構成（ブーストコンバータ回路やフライバック回路）でもかまわない。
点灯回路２０は、直流生成部１５０に接続される。そして、点灯回路２０は、直流生成部１５０が制御電圧（昇圧された直流電源Ｖｄｃ）を生成している時には、直流生成部１５０により制御電圧が供給される。点灯回路２０（点灯制御回路２１）は、制御回路６０により点灯制御を受けることによってスイッチング素子Ｑ２の発振（スイッチング）動作を行い、制御電圧から点灯電圧を生成する。
ここで、点灯電圧とは、点灯装置１００に装着された光源モジュール２００内の発光ダイオードＬＤの点灯に必要な電圧値以上の電圧である。また、点灯制御とは、装着された光源モジュール２００内の発光ダイオードＬＤを点灯させる制御である。
そして、点灯回路２０は、生成した点灯電圧を出力電圧Ｖｏｕｔとして光源モジュール２００に供給することにより点灯回路２０に接続される光源モジュール２００内の発光ダイオードＬＤを点灯する。なお、光源モジュール２００内の発光ダイオードＬＤを点灯することを「光源モジュール２００を点灯する」という。
【００１６】
（ランプ接続検出回路３０の説明）
ランプ接続検出回路３０は、光源モジュール２００の着脱を監視する。
ランプ接続検出回路３０は、直列接続された３つの抵抗Ｒ３１〜抵抗Ｒ３３を備える。
そして、点灯回路２０の出力電圧Ｖｏｕｔがランプ接続検出回路３０に供給されている時は、ランプ接続検出回路３０は、点灯回路２０の出力電圧Ｖｏｕｔを抵抗分圧する。または、ランプ接続検出電圧生成回路２２によりＰＦＣ回路１０が出力した直流電源Ｖｄｃが供給されている時は、ランプ接続検出回路３０は、ＰＦＣ回路１０が出力した直流電源Ｖｄｃを抵抗Ｒ２１、抵抗Ｒ２２を介して、更に抵抗Ｒ３１〜Ｒ３３で抵抗分圧する。
そして、光源モジュール２００が点灯装置１００に接続された時は、接続抵抗Ｒｓが抵抗Ｒ３１、抵抗Ｒ３２に並列に接続される為、光源モジュール２００が接続された時と、取り外された時とで、抵抗Ｒ３１と抵抗Ｒ３２との接続点における電圧が変化する。
すなわち、ランプ接続検出回路３０は、光源モジュール２００が装着されている場合と光源モジュール２００が取り外されている場合とで異なる電圧値の検出電圧を出力する。
ランプ接続検出回路３０は、この抵抗Ｒ３１と抵抗Ｒ３２との接続点における電圧（検出電圧）をランプ接続検出信号として出力する。
【００１７】
（制御回路６０の説明）
制御回路６０は、例えばマイクロコンピュータ（ＣＰＵ）である。
制御回路６０は、ランプ接続検出信号を監視し、監視結果に基づき、光源モジュール２００の着脱を判定する。そして、制御回路６０は、直流生成部１５０（ＰＦＣ制御回路１１）に対して生成制御を行い、点灯回路２０（点灯制御回路２１）に対して点灯制御を行う。
【００１８】
（第一コンバータ回路４０の説明）
第一コンバータ回路４０は、コイルＬ２の二次巻線Ｌ２ｓとダイオードＤ２とコンデンサＣ２とを備える。
第一コンバータ回路４０は、点灯制御を受けることによって点灯回路２０が生成する点灯電圧から第一制御電源Ｖｃｃ１（第２の直流電圧）を取り出して第二コンバータ回路５０に供給する。
換言すると、第一コンバータ回路４０は、点灯回路２０が生成する点灯電圧により、二次巻線Ｌ２ｓに発生する電圧をダイオードＤ２が整流することによって、点灯回路２０が生成する点灯電圧の一部を得て、第一制御電源Ｖｃｃ１を生成する。
【００１９】
（第二コンバータ回路５０の説明）
第二コンバータ回路５０は、ＰＦＣ回路１０と第一コンバータ回路４０とに接続される。
第二コンバータ回路５０は、直流生成部１５０により制御電圧（昇圧された直流電源Ｖｄｃ）が供給されている時には制御電圧が供給電圧として供給される。一方、直流生成部１５０により電源依存電圧（非昇圧時の直流電源Ｖｄｃ）が供給されている時には電源依存電圧が供給電圧として供給される。
そして、直流生成部１５０により供給される供給電圧を第二制御電源Ｖｃｃ２に変換して、変換した第二制御電源Ｖｃｃ２を点灯制御回路２１及び制御回路６０に供給する。ここで、直流生成部１５０により供給される供給電圧（直流電源Ｖｄｃ）に基づく第二制御電源Ｖｃｃ２を待機用制御電源Ｖ２１（第１の直流電圧）と称する。
一方、第一コンバータ回路４０が第一制御電源Ｖｃｃ１を生成している場合、第二コンバータ回路５０は、第一コンバータ回路４０から第一制御電源Ｖｃｃ１が供給される。そして、第二コンバータ回路５０は、第一コンバータ回路４０により第一制御電源Ｖｃｃ１が供給されると、直流生成部１５０により供給される供給電圧（直流電源Ｖｄｃ）から待機用制御電源Ｖ２１への変換を停止する。更に、第二コンバータ回路５０は、供給された第一制御電源Ｖｃｃ１に基づく第二制御電源Ｖｃｃ２を点灯制御回路２１及び制御回路６０に供給する。ここで、第一制御電源Ｖｃｃ１に基づく第二制御電源Ｖｃｃ２を動作用制御電源Ｖ２２（第３の直流電圧）と称する。
すなわち、第二コンバータ回路５０は、待機用制御電源Ｖ２１を動作用制御電源Ｖ２２に切り替えて、切り替えた動作用制御電源Ｖ２２を点灯制御回路２１及び制御回路６０に供給する。
なお、第二コンバータ回路５０は、第一コンバータ回路４０から供給される第一制御電源Ｖｃｃ１が予め設定された閾値を超えた場合に待機用制御電源Ｖ２１を動作用制御電源Ｖ２２に切り替えて供給してもよい。
待機用制御電源Ｖ２１の電圧値と動作用制御電源Ｖ２２の電圧値とは同じであってもよいし、異なっていてもよい。例えば、待機用制御電源Ｖ２１の電圧値は動作用制御電源Ｖ２２の電圧値より低くてもよい。
【００２０】
（ランプ接続検出電圧生成回路２２の説明）
ランプ接続検出電圧生成回路２２は、スイッチング素子Ｑ２のドレイン端子とソース端子との間に並列に接続される抵抗Ｒ２１と抵抗Ｒ２２とを備える。
ランプ接続検出電圧生成回路２２は、スイッチング素子Ｑ２のオンオフによらず（点灯回路２０が動作する、動作しないによらず）、ＰＦＣ回路１０が出力する直流電源Ｖｄｃをランプ接続検出回路３０に伝達（印加）する。
【００２１】
＜光源モジュール２００の装着検出前の点灯装置１００の動作＞
次に、点灯装置１００の動作について説明する。
まず、図２と図３とを用いて、光源モジュール２００の装着検出前（点灯装置１００から光源モジュール２００が外されているとき）の点灯装置１００の動作について説明する。
図２は、光源モジュール２００の装着検出前の点灯装置１００の動作を示すシーケンス図である。
図３は、点灯装置１００の動作を示すタイミングチャートである（（ａ）は光源モジュールの接続状態、（ｂ）は交流電源ＡＣの電圧、（ｃ）は直流電源Ｖｄｃの電圧、（ｄ）は第二制御電源Ｖｃｃ２の電圧、（ｅ）は点灯制御回路への点灯制御信号、（ｆ）はスイッチング素子Ｑ２の発振動作、（ｇ）は第一制御電源Ｖｃｃ１の電圧、（ｈ）はＰＦＣ制御回路への点灯制御信号、（ｉ）はスイッチング素子Ｑ１の発振動作、（ｊ）は制御回路が光源モジュールの接続状態を検出するタイミング、（ｋ）は点灯装置１００の出力電圧）。
【００２２】
（時刻ｔ１から時刻ｔ２の前までの説明）
時刻ｔ１（図３）は、交流電源ＡＣがオンとなる時刻である。
時刻ｔ１において光源モジュール２００は点灯装置１００から外れている（図３（ａ））。更に、時刻ｔ１において、制御回路６０による生成制御が停止されている。ここで、制御回路６０による生成制御が停止されている状態とは、制御回路６０からＰＦＣ制御回路１１への動作開始信号が出力されていない状態（もしくは動作停止信号が出力されている状態）である（図３（ｈ））。動作開始信号（もしくは動作停止信号）については後述する。
時刻ｔ１において、交流電源ＡＣがオンとなり（図２のＳ２０１）、所定の電圧が供給される（図３（ｂ））。ここで、図３（ｂ）の交流電圧は、実効値を示している。
そして、整流回路ＤＢは、交流電圧を脈流に変換する。
時刻ｔ１において、制御回路６０からＰＦＣ制御回路１１への動作開始信号が出力されていない。更には、ＰＦＣ制御回路１１への動作用電圧も供給されていないので、ＰＦＣ回路１０はスイッチング素子Ｑ１は停止している（制御電圧の生成を停止している）。その為、整流回路ＤＢにより出力された脈流は昇圧されない。
そして、ＰＦＣ回路１０は、整流回路ＤＢにより出力された脈流を平滑化し、平滑化した脈流を電圧値Ｖａの直流電源Ｖｄｃとして生成する。すなわち、ＰＦＣ回路１０は、電圧値Ｖａの直流電源Ｖｄｃを出力する（図２のＳ２０２、図３（ｃ））。この電圧値Ｖａの直流電源Ｖｄｃは非昇圧の直流電源Ｖｄｃ（電源依存電圧）であり、電圧値Ｖａの直流電源Ｖｄｃは第二コンバータ回路５０に供給される。
更には、電圧値Ｖａの直流電源Ｖｄｃは点灯回路２０にも供給される。
【００２３】
この時点では、第一コンバータ回路４０から第一制御電源Ｖｃｃ１は供給されていない。
第二コンバータ回路５０は、直流生成部１５０により生成された（ＰＦＣ回路１０から供給された）電圧値Ｖａの直流電源Ｖｄｃ（電源依存電圧）を電圧値Ｖ２の第二制御電源Ｖｃｃ２（待機用制御電源Ｖ２１）に変換する（図３（ｄ））。換言すると、第二コンバータ回路５０は、直流電源Ｖｄｃから待機用制御電源Ｖ２１を生成する。
そして、第二コンバータ回路５０は、生成した第二制御電源Ｖｃｃ２（待機用制御電源Ｖ２１）を点灯制御回路２１及び制御回路６０に供給（出力）する（図２のＳ２０３）。
【００２４】
点灯制御回路２１は、第二制御電源Ｖｃｃ２（待機用制御電源Ｖ２１）が供給されることにより、待機状態（スイッチング素子Ｑ２の発振制御可能な状態）となる（図２のＳ２０４）。
また、制御回路６０は、第二制御電源Ｖｃｃ２（待機用制御電源Ｖ２１）が供給されることにより、起動する（図２のＳ２０５）。すなわち、制御回路６０は、第二コンバータ回路５０により供給される第二制御電源Ｖｃｃ２（待機用制御電源Ｖ２１）により動作する。
そして、制御回路６０は起動すると、スイッチング素子Ｑ２を一時的に駆動（発振）させるための点灯制御信号（以下「プレ点灯信号」という）を点灯制御回路２１に出力する（図２のＳ２１１ａ、図３（ｅ））。プレ点灯信号は、例えば、所定時間ｔｐ（例えば、１〜３秒）において出力される。
【００２５】
点灯制御回路２１には第二制御電源Ｖｃｃ２が既に供給されて待機状態である為、ＰＦＣ回路１０により電圧値Ｖａの直流電源Ｖｄｃ（電源依存電圧）が供給され（前述の図２のＳ２０２）、プレ点灯信号が入力されると、スイッチング素子Ｑ２の発振を開始する（図２のＳ２１２、図３（ｆ））。
この時、スイッチング素子Ｑ２の発振により、点灯回路２０に電圧値Ｖｏｆｆの出力電圧Ｖｏｕｔが発生する（図３（ｋ））が、この電圧値Ｖｏｆｆでは、電圧値が低い為、光源モジュール２００は点灯されない。
ここで、点灯回路２０には、電圧値Ｖａの直流電源Ｖｄｃしか供給されていない為、スイッチング素子Ｑ２が発振しても電圧値Ｖｏｆｆの出力電圧Ｖｏｕｔしか発生しない。その為、プレ点灯信号は、後述の点灯信号と同じ電圧であってもよい。
また、点灯制御回路２１は、点灯制御信号の電圧に応じて、スイッチング素子Ｑ２の発振を制御する。そして、プレ点灯信号の入力時には、光源モジュール２００を点灯させないように、出力電圧Ｖｏｕｔを低出力とする為に、プレ点灯信号は後述の点灯信号より低い電圧であってもよい。例えば、プレ点灯信号の電圧値は、第一コンバータ回路４０から第一制御電源Ｖｃｃ１を生成できる程度の値であればよい。
【００２６】
ここで、電圧値Ｖｏｆｆの出力電圧Ｖｏｕｔは、光源が点灯するのに必要な電圧値よりも小さい消灯維持電圧である。そして、電圧値Ｖｏｆｆの出力電圧Ｖｏｕｔを生成させる制御、すなわち、プレ点灯信号を出力することを消灯維持制御と称する。すなわち、制御回路６０は点灯回路２０に対して、消灯維持制御を行うことで、電圧値Ｖｏｆｆの出力電圧Ｖｏｕｔを点灯回路２０に生成させる。
一方、点灯回路２０は、ＰＦＣ回路１０により電圧値Ｖａの直流電源Ｖｄｃ（電源依存電圧）が供給され、消灯維持制御を電源依存電圧が供給されている時に制御回路６０から受けることによって電源依存電圧から消灯維持電圧を生成する。
なお、光源モジュール２００には、点灯回路２０の出力電圧Ｖｏｕｔに加え、ランプ接続検出電圧生成回路２２により伝達される電圧が印加される。その為、消灯維持電圧の電圧値Ｖｏｆｆは、電圧値Ｖｏｆｆにランプ接続検出電圧生成回路２２により伝達される電圧の電圧値を加えても光源が点灯するのに必要な電圧値よりも小さい値となるように設定される。
なお、図３（ｅ）に示すように、制御回路６０は、点灯制御回路２１に対して間欠的に消灯維持制御を行う（プレ点灯信号を出力する）。その為、点灯回路２０は、間欠的に消灯維持電圧を生成する。
【００２７】
スイッチング素子Ｑ２の発振が開始されると、一次巻線Ｌ２ｐに電流が流れる。更に、二次巻線Ｌ２ｓが励磁されて二次巻線Ｌ２ｓに誘導電流が流れ始める。
これにより、第一コンバータ回路４０は、電圧値Ｖｏｆｆの出力電圧Ｖｏｕｔ（消灯維持電圧）に基づく電圧値Ｖ１の第一制御電源Ｖｃｃ１を生成し、生成した第一制御電源Ｖｃｃ１の出力（供給）を開始する（図２のＳ２１３、図３（ｇ））。
すなわち、第一コンバータ回路４０は、点灯回路２０により消灯維持電圧が生成されている期間においては、スイッチング素子Ｑ２が発振動作することによって点灯回路２０により生成される消灯維持電圧から第一制御電源Ｖｃｃ１を取り出す。そして、第一コンバータ回路４０は、取り出した第一制御電源Ｖｃｃ１を動作用電圧としてＰＦＣ制御回路１１に供給する。
【００２８】
更に、第一コンバータ回路４０は、取り出した第一制御電源Ｖｃｃ１に基づく電荷の少なくとも一部をコンデンサＣ２に充電する。コンデンサＣ２の容量は、第一制御電源Ｖｃｃ１を生成できる程度の値であればよい。
【００２９】
また、第一コンバータ回路４０から出力された第一制御電源Ｖｃｃ１は、第二コンバータ回路５０にも供給される。
その為、第二コンバータ回路５０は、第一コンバータ回路４０から第一制御電源Ｖｃｃ１が供給されることにより、直流電源Ｖｄｃに基づく第二制御電源Ｖｃｃ２（待機用制御電源Ｖ２１）を第一制御電源Ｖｃｃ１に基づく第二制御電源Ｖｃｃ２（動作用制御電源Ｖ２２）に切り替えて供給してもよい。
ここでは、制御回路６０が光源モジュール２００の装着を判定する前は、制御回路６０が第二コンバータ回路５０に対し、直流電源Ｖｄｃに基づく第二制御電源Ｖｃｃ２（待機用制御電源Ｖ２１）の生成を継続させるように制御する。なお、図１において、制御回路６０が第二コンバータ回路５０を制御する為の結線の図示は省略している。
【００３０】
時刻ｔ１において、制御回路６０は、ＰＦＣ制御回路１１に対し、点灯制御信号を出力していない為（図２（ｈ））、ＰＦＣ制御回路１１は、スイッチング素子Ｑ１の発振を停止している（図２（ｉ））。換言すると、制御回路６０は、スイッチング素子Ｑ１を停止させるための電圧値ゼロの点灯制御信号（動作停止信号）をＰＦＣ制御回路１１へ出力している。したがって、前述の通り、ＰＦＣ回路１０の出力電圧は、交流電源を整流した整流電圧Ｖａに等しくなる。
【００３１】
（時刻ｔ２から時刻ｔ３の前までの説明）
時刻ｔ２は、制御回路６０がＰＦＣ制御回路１１に対し点灯制御信号を出力する時刻である。
制御回路６０は、所定時間ｔｐが経過し、プレ点灯信号の出力を停止すると、ＰＦＣ制御回路１１に対し、スイッチング素子Ｑ１を駆動（発振）させるための点灯制御信号（動作開始信号とも称する）を時刻ｔ２において、出力する（図２のＳ２１１ｂ、図３（ｈ））。この点灯制御信号は、例えば、所定時間ｔｓ（例えば、１〜３秒）において出力される。
制御回路６０がＰＦＣ制御回路１１に対し点灯制御信号（動作開始信号）を出力することを生成制御と称する。
なお、制御回路６０は、所定時間ｔｓにおいて点灯制御回路２１へのプレ点灯信号の出力を停止する（図３（ｅ））。そして、点灯制御回路２１はスイッチング素子Ｑ２の発振を停止する（図３（ｆ））。換言すると、制御回路６０は、所定時間ｔｓにおいてスイッチング素子Ｑ２を停止させるための電圧値ゼロの点灯制御信号（消灯信号）を点灯制御回路２１へ出力する。
つまり、制御回路６０は、図３（ｈ）に示すように、ＰＦＣ制御回路１１に対して間欠的に生成制御を行っている。
【００３２】
ここで、第一コンバータ回路４０は、点灯回路２０により消灯維持電圧が生成されていない期間（例えば図３のｔ２〜ｔ３）においては、コンデンサＣ２に充電された電荷から第一制御電源Ｖｃｃ１を生成する。そして、第一コンバータ回路４０は、生成した第一制御電源Ｖｃｃ１を動作用電圧としてＰＦＣ制御回路１１に供給する。すなわち、第一コンバータ回路４０は、動作用電圧を継続してＰＦＣ制御回路１１に供給する。
そして、ＰＦＣ制御回路１１には、第一コンバータ回路４０から第一制御電源Ｖｃｃ１が供給されているので、点灯制御信号を入力すると、ＰＦＣ制御回路１１は、スイッチング素子Ｑ１の発振を開始する（図２のＳ２１４、図３（ｉ））。なお、第一制御電源Ｖｃｃ１の電圧値は、コンデンサＣ２の放電に伴い、減少する（図３（ｇ））。
【００３３】
スイッチング素子Ｑ１の発振が開始されると、整流回路ＤＢにより整流された整流電圧は、電圧値Ｖａから電圧値Ｖｂに昇圧され、ＰＦＣ回路１０は、電圧値Ｖｂの直流電源Ｖｄｃを出力する（図２のＳ２１４、図３（ｃ））。この電圧値Ｖｂの直流電源Ｖｄｃは昇圧された直流電源Ｖｄｃ（制御電圧）である。つまり、ＰＦＣ回路１０は、第一コンバータ回路４０により第一制御電源Ｖｃｃ１が動作用電圧として供給されると共に、制御回路６０により生成制御を受けることによって、制御電圧を生成する。
そして、制御回路６０は、ＰＦＣ制御回路１１に対して間欠的に生成制御を行うことで、間欠的に制御電圧を生成させる。なお、制御回路６０は、ＰＦＣ制御回路１１に対して間欠的に制御電圧を生成させている場合には、点灯回路２０に対する点灯制御を停止する。
【００３４】
昇圧された電圧値Ｖｂの直流電源Ｖｄｃ（制御電圧）は、ＰＦＣ回路１０によって点灯回路２０に供給される。
そして、ランプ接続検出電圧生成回路２２は、点灯回路２０に供給される制御電圧を、ＰＦＣ回路１０から点灯回路２０への供給を介して、ランプ接続検出回路３０に供給される制御電圧としてランプ接続検出回路３０に伝達（供給）する。
つまり、ランプ接続検出電圧生成回路２２は、点灯回路２０に供給され、点灯回路２０内に伝達された制御電圧を、点灯回路２０内（図１のスイッチング素子Ｑ２のドレイン端子）から取り出してランプ接続検出回路３０に伝達する。
ここで、抵抗Ｒ２１、抵抗Ｒ２２及び抵抗Ｒ３１〜抵抗Ｒ３３により、電圧値Ｖｂの直流電源Ｖｄｃが分圧され、例えば、分圧された電圧値Ｖｂ１の電圧がランプ接続検出回路３０に印加される。電圧値Ｖｂと電圧値Ｖｂ１とは比例関係であり、分圧された電圧値Ｖｂ１の電圧は、電圧値Ｖｂの直流電源Ｖｄｃに基づく電圧である。
なお、図１において抵抗Ｒ２２は、スイッチング素子Ｑ２のソース端子と一次巻線Ｌ２ｐの一端との接続箇所に接続されている。その為、ランプ接続検出電圧生成回路２２は、一次巻線Ｌ２ｐを介して制御電圧をランプ接続検出回路３０に伝達するが、一次巻線Ｌ２ｐはコイルである為、直流である制御電圧（電圧値Ｖｂの直流電源Ｖｄｃ）の分圧には寄与しない。
また、抵抗Ｒ２２は、一次巻線Ｌ２ｐの他端と抵抗Ｒ３１との接続箇所に接続されてもよい。すなわち、ランプ接続検出電圧生成回路２２は一次巻線Ｌ２ｐを介さずに直接、制御電圧をランプ接続検出回路３０に伝達してもよい。
換言すると、ランプ接続検出電圧生成回路２２は、制御電圧の電圧値を変換し、電圧値が変換された電圧（制御電圧に基づく電圧）をランプ接続検出回路３０に伝達する。
また、本実施の形態では、ランプ接続検出電圧生成回路２２は抵抗素子により構成されている為、前述のように制御電圧の電圧値が変換されるが、ランプ接続検出電圧生成回路２２は、制御電圧の電圧値を変換することなく（制御電圧の電圧値を維持して）ランプ接続検出回路３０に伝達しても良い。具体的には、ランプ接続検出電圧生成回路２２は、点灯回路２０のスイッチング素子Ｑ２がオフの時に、オンとなるスイッチング素子でも良い。ランプ接続検出電圧生成回路２２は、ＰＦＣ回路１０から出力される制御電圧をランプ接続検出回路３０に伝達可能な結線となっていれば良い。すなわち、ランプ接続検出電圧生成回路２２を構成する部品は限定されるものではない。
換言すると、ランプ接続検出電圧生成回路２２は、直流生成部１５０により制御電圧が供給され、供給された制御電圧に基づく電圧をランプ接続検出回路３０に供給（伝達）する。そして、ランプ接続検出回路３０はランプ接続検出電圧生成回路２２が供給（伝達）する制御電圧に基づく電圧が供給されることにより、検出電圧を出力する。
【００３５】
そして、光源モジュール２００が取り外されており、電圧値Ｖｂ１の電圧が印加された場合に、電圧値Ｖｒ１の検出電圧がランプ接続検出回路３０の抵抗Ｒ３１と抵抗Ｒ３２との接続点に発生する（図２のＳ２０６）。
ここで、ランプ接続検出回路３０は、ＰＦＣ回路１０から点灯回路２０とランプ接続検出電圧生成回路２２とを介して、制御電圧が間欠的に供給されることにより、間欠的に供給される制御電圧に基づく検出電圧を間欠的に出力する。
【００３６】
制御回路６０は、ＰＦＣ回路１０が電圧値Ｖｂの直流電源Ｖｄｃを出力している所定時間ｔｐの間に、ランプ接続検出回路３０が出力する検出電圧（ランプ接続検出信号）をモニタ（監視）する（図２のＳ２０７、図３（ｊ））。そして、制御回路６０は、この電圧値Ｖｒ１を検出する。
ここで、制御回路６０は、ランプ接続検出回路３０が間欠的に出力する検出電圧を監視し、監視する検出電圧の電圧値に基づき、光源モジュール２００が装着されているか否かを判定する。
【００３７】
このとき、ＰＦＣ回路１０が動作しているので、ランプ接続検出電圧生成回路２２には、一定の電圧（制御電圧）が印加されている。したがって、点灯回路２０が停止していても（スイッチング素子Ｑ２がオフ状態でも）ランプ接続検出電圧生成回路２２により、ランプ接続検出回路３０には電力が供給される。すなわち、点灯回路２０が動作する、動作しないによらず、ランプ接続検出電圧生成回路２２により、ランプ接続検出回路３０には電力が供給される。
一方、ＰＦＣ回路１０が動作していない場合は、交流電源ＡＣの電圧が整流された電圧が、ランプ接続検出電圧生成回路２２により、ランプ接続検出回路３０に供給されることとなる。この場合、ランプ接続検出回路３０に供給される電圧は、交流電源ＡＣの電圧値が変わることによって、変化する。その為、制御回路６０が検出する電圧値も変化してしまう為、制御回路６０は、光源モジュールの着脱を誤検知する可能性がある。
つまり、ＰＦＣ回路１０を動作させて、一定の電圧をランプ接続検出回路３０に供給することで、交流電源ＡＣの電圧変動に影響されずに、制御回路６０は、光源モジュール２００の着脱を精度良く検出することができる。
【００３８】
そして、制御回路６０は、ランプ接続検出回路３０から出力される電圧（ランプ接続検出信号）により、光源モジュール２００が外されていることを検出する。
【００３９】
（時刻ｔ３から時刻ｔ６の前までの説明）
時刻ｔ３は、制御回路６０が再度プレ点灯信号を出力する時刻である。
制御回路６０は、所定時間ｔｓが経過すると、再度、プレ点灯信号を点灯制御回路２１に出力する。
一方、制御回路６０は、ＰＦＣ制御回路１１に対する点灯制御信号の出力を停止する。換言すると、制御回路６０は、スイッチング素子Ｑ１を停止させるための電圧値ゼロの点灯制御信号（動作停止信号とも称する）をＰＦＣ制御回路１１へ出力する（図３（ｈ））。
以降の動作は時刻ｔ１と同じ為、説明を省略する。また、時刻ｔ５も時刻ｔ１と同様である。更に、時刻ｔ４も時刻ｔ２と同様である。
すなわち、図２の「Ａ」の部分が繰り返される。
【００４０】
（時刻ｔ６から時刻ｔ７の前までの説明）
時刻ｔ６は、光源モジュール２００が点灯装置１００に装着される時刻である。
時刻ｔ６において、光源モジュール２００が点灯装置１００に接続される（図２のＳ２０８、図３（ａ））。
【００４１】
（時刻ｔ７以降の説明）
時刻ｔ７は、光源モジュール２００装着後に、制御回路６０がＰＦＣ制御回路１１に対し点灯制御信号を出力する時刻である。
制御回路６０は、時刻ｔ７において、前述と同様にＰＦＣ制御回路１１に対し点灯制御信号を出力する（図２のＳ２１１ｂ、図３（ｈ））。そして、スイッチング素子Ｑ１が発振し（図２のＳ２１４、図３（ｉ））、ＰＦＣ回路１０は、電圧値Ｖｂの直流電源Ｖｄｃを出力する（図２のＳ２１４、図３（ｃ））。
そして、前述と同様に、ランプ接続検出電圧生成回路２２により、電圧値Ｖｂ１の電圧がランプ接続検出回路３０に印加される。
ここで、光源モジュール２００の装着により、接続抵抗Ｒｓが抵抗Ｒ３１、抵抗Ｒ３２に並列に接続される為、ランプ接続検出信号の電圧（抵抗Ｒ３１と抵抗Ｒ３２との接続点の電圧）は、電圧値Ｖｒ１から電圧値Ｖｒ２に上昇する（図２のＳ２０９）。
そして、制御回路６０は、時刻ｔ７におけるランプ接続検出信号のモニタのタイミング（図３（ｊ））で、この電圧値Ｖｒ２を検出し、光源モジュール２００が点灯装置１００に接続されたと判定する（図２のＳ２１０）。
すなわち、制御回路６０は、制御電圧が間欠的に供給されることによりランプ接続検出回路３０が間欠的に出力する検出電圧の監視の結果、前記光源が装着されていると判定する。
【００４２】
＜光源モジュール２００の装着検出後の点灯装置１００の動作＞
次に、図３と図４とを用いて、光源モジュール２００の装着検出後（点灯装置１００から光源モジュール２００が装着されているとき）の点灯装置１００の動作について説明する。
図４は、光源モジュール２００の装着検出後の点灯装置１００の動作を示すシーケンス図である。
【００４３】
制御回路６０は、光源モジュール２００が点灯装置１００に接続されたと判定する（図４のＳ２１０）と、制御回路６０は、点灯制御回路２１に対して点灯制御を行う。具体的には、制御回路６０は、スイッチング素子Ｑ２を駆動（発振）させ、光源モジュール２００を点灯させるための点灯制御信号（以下「点灯信号」という）を点灯制御回路２１に出力する（図４のＳ２１１ｃ、図３（ｅ））。点灯信号の電圧値は、プレ点灯信号の電圧値より高くてもよいし、同じでもよい。
更に、制御回路６０は、スイッチング素子Ｑ１を駆動（発振）させるための点灯制御信号をＰＦＣ制御回路１１に出力する（図４のＳ２１１ｃ、図３（ｈ））。これらの点灯制御信号は、光源モジュール２００が外されない限り継続して出力される。
スイッチング素子Ｑ１の発振が継続されると共に（図４のＳ２１４ｃ、図３（ｉ））、ＰＦＣ回路１０からは電圧値Ｖｂの直流電源Ｖｄｃの出力が継続される（図４のＳ２１４ｃ、図３（ｃ））。電圧値Ｖｂの直流電源Ｖｄｃは点灯回路２０に供給される。
また、点灯信号によりスイッチング素子Ｑ２の発振が継続され（図４のＳ２１２ｃ、図３（ｆ））、点灯回路２０は、電圧値Ｖｂの直流電源Ｖｄｃから電圧値Ｖｆの出力電圧Ｖｏｕｔを発生させる（図３（ｋ））。そして、光源モジュール２００はこの電圧値Ｖｆの出力電圧Ｖｏｕｔにより点灯される（図４のＳ２１５ｃ）。
【００４４】
一方、第一コンバータ回路４０も第一制御電源Ｖｃｃ１の出力を継続する（図４のＳ２１３ｃ、図３（ｇ））。換言すると、第一コンバータ回路４０は、電圧値Ｖｆの出力電圧Ｖｏｕｔに基づく電圧値Ｖ１ｂの第一制御電源Ｖｃｃ１を生成する。
ここで、制御回路６０は光源モジュール２００の装着を判定した後は、制御回路６０は第二コンバータ回路５０に対し、直流電源Ｖｄｃに基づく第二制御電源Ｖｃｃ２（待機用制御電源Ｖ２１）の生成継続の制御を停止する。
そして、第二コンバータ回路５０は、第一コンバータ回路４０から第一制御電源Ｖｃｃ１が供給されている場合には、直流電源Ｖｄｃから第二制御電源Ｖｃｃ２を生成することを停止する。すなわち、第一コンバータ回路４０から電圧値Ｖ１ｂの第一制御電源Ｖｃｃ１が供給されると、第二コンバータ回路５０は、直流電源Ｖｄｃから、待機用制御電源Ｖ２１への変換を停止する。
【００４５】
そして、第二コンバータ回路５０は、第一コンバータ回路４０により供給された第一制御電源Ｖｃｃ１を第二制御電源Ｖｃｃ２（動作用制御電源Ｖ２２）として制御回路６０及び点灯制御回路２１に供給する（図４のＳ２１６ｃ、図３（ｃ））。
すなわち、第二コンバータ回路５０は、直流電源Ｖｄｃに基づく第二制御電源Ｖｃｃ２（待機用制御電源Ｖ２１）を第一制御電源Ｖｃｃ１に基づく第二制御電源Ｖｃｃ２（動作用制御電源Ｖ２２）に切り替えて、切り替えた動作用制御電源Ｖ２２を供給する。
なお、図３に示す例は、待機用制御電源Ｖ２１の電圧値と動作用制御電源Ｖ２２の電圧値とが同じであるが、前述の通り、待機用制御電源Ｖ２１の電圧値と動作用制御電源Ｖ２２の電圧値とは異なっていてもよい。
また、第二コンバータ回路５０は、第一コンバータ回路４０により供給された第一制御電源Ｖｃｃ１の電圧値を変換（昇圧もしくは降圧）して、第二制御電源Ｖｃｃ２（動作用制御電源Ｖ２２）として供給してもよい。また、第二コンバータ回路５０は、第一コンバータ回路４０により供給された第一制御電源Ｖｃｃ１の電圧値を維持して、動作用制御電源Ｖ２２として供給してもよい。例えば、動作用制御電源Ｖ２２の電圧値は、第一制御電源Ｖｃｃ１の電圧値より低くてもよい。すなわち、第二コンバータ回路５０は第一制御電源Ｖｃｃ１を降圧して動作用制御電源Ｖ２２を生成してもよい。
【００４６】
（光源モジュール２００点灯後の説明）
制御回路６０は、第二コンバータ回路５０により動作用制御電源Ｖ２２が供給されると、第二コンバータ回路５０により供給される動作用制御電源Ｖ２２によって動作する。すなわち、制御回路６０は、待機用制御電源Ｖ２１から切り替えられた動作用制御電源Ｖ２２の供給により動作を継続する。
そして、制御回路６０は、ランプ接続検出信号の監視を継続する（図３（ｊ））。
ランプ接続検出回路３０には、ランプ接続検出電圧生成回路２２により、電圧値Ｖｂ１の電圧が印加されると共に、点灯回路２０により電圧値Ｖｆの出力電圧Ｖｏｕｔが印加されている。
ここで、電圧値Ｖｂ１の電圧と電圧値Ｖｆの出力電圧Ｖｏｕｔとが印加され、かつ光源モジュール２００が装着されていることにより、ランプ接続検出回路３０から出力される電圧値をＶｒ３とする。
制御回路６０は、電圧値がＶｒ３よりも予め設定された範囲の電圧値に低下すると、光源モジュール２００が取り外されたと判定する。そして、制御回路６０は、点灯制御回路２１に対し、スイッチング素子Ｑ２の発振を停止させる制御を行い、ＰＦＣ制御回路１１に対し、スイッチング素子Ｑ１の発振を停止させる制御を行う。
そして、点灯装置１００は、前述の図２の「Ａ」の部分の動作を繰り返す。
【００４７】
（実施の形態１の効果）
本実施の形態の点灯装置１００は、ＰＦＣ回路１０を動作させて交流電源ＡＣの電圧に依存しない予め設定された電圧値の電圧がランプ接続検出回路３０に供給されている期間に、光源モジュール２００の着脱を検出する。その為、電圧値Ａの交流電源ＡＣが点灯装置１００に接続された場合でも、電圧値Ａとは異なる電圧値Ｂの交流電源ＡＣが点灯装置１００に接続された場合でも、交流電源ＡＣの電圧値によらず、同じ電圧値がランプ接続検出回路３０に供給される。そして、交流電源ＡＣの電圧値によらず、光源モジュール２００の着脱を精度よく検出することが可能である。
また、点灯回路２０が停止していても（スイッチング素子Ｑ２がオフ状態でも）、点灯装置１００は、ランプ接続検出電圧生成回路２２を備えることにより、ＰＦＣ回路１０の電圧がランプ接続検出回路３０に供給されるので、光源モジュール２００の着脱を精度よく検出することが可能である。
【００４８】
実施の形態２．
本実施の形態について、主に実施の形態１との差異を説明する。
実施の形態１では、制御回路６０が点灯回路２０を動作させてから、ＰＦＣ回路１０を動作させる場合について説明したが、本実施の形態では、ＰＦＣ回路１０を起動させてから点灯回路２０を起動させるようにしたものである。
【００４９】
図５は、照明器具８００の構成を示す図である。
実施の形態１の点灯装置１００のＰＦＣ制御回路１１は、第一制御電源Ｖｃｃ１により動作する。一方、図５に示す本実施の形態の点灯装置１００のＰＦＣ制御回路１１は、第二制御電源Ｖｃｃ２の電力により動作する点が異なっており、その他の回路構成は実施の形態１と同様のため、説明を省略する。
【００５０】
次に、点灯装置１００の動作について説明する。
図６と図７とを用いて、光源モジュール２００の装着検出前（点灯装置１００から光源モジュール２００が外されているとき）の点灯装置１００の動作について説明する。
図６は、光源モジュール２００の装着検出前の点灯装置１００の動作を示すシーケンス図である。
図７は、点灯装置１００の動作を示すタイミングチャートである（（ａ）は光源モジュールの接続状態、（ｂ）は交流電源ＡＣの電圧、（ｃ）は直流電源Ｖｄｃの電圧、（ｄ）は第二制御電源Ｖｃｃ２の電圧、（ｅ）は点灯制御回路への点灯制御信号、（ｆ）はスイッチング素子Ｑ２の発振動作、（ｇ）は第一制御電源Ｖｃｃ１の電圧、（ｈ）はＰＦＣ制御回路への点灯制御信号、（ｉ）はスイッチング素子Ｑ１の発振動作、（ｊ）は制御回路が光源モジュールの接続状態を検出するタイミング、（ｋ）は点灯装置１００の出力電圧）。
【００５１】
（時刻ｔ１から時刻ｔ２の前までの説明）
時刻ｔ１（図７）は、交流電源ＡＣがオンとなる時刻である。
時刻ｔ１において光源モジュール２００は点灯装置１００から外れている（図７（ａ））。
そして、時刻ｔ１において、交流電源ＡＣがオンとなり（図６のＳ２０１）、制御回路６０は、第二制御電源Ｖｃｃ２（待機用制御電源Ｖ２１）が供給されることにより、起動する（図２のＳ２０５）までの動作は実施の形態１と同じである。
ここで、第二コンバータ回路５０は、生成した第二制御電源Ｖｃｃ２（待機用制御電源Ｖ２１）を点灯制御回路２１及び制御回路６０に供給（出力）する（図２のＳ２０３）。
更に、実施の形態２において、第二コンバータ回路５０は、待機用制御電源Ｖ２１を動作用電圧としてＰＦＣ制御回路１１にも供給（出力）する（図２のＳ２０３）。
【００５２】
制御回路６０は起動しても実施の形態１と異なり、プレ点灯信号を出力しない（図７（ｅ））。その為、スイッチング素子Ｑ２の発振も停止したままである（図７（ｆ））。更に、第一制御電源Ｖｃｃ１も出力されない（図７（ｇ））。
【００５３】
（時刻ｔ２から時刻ｔ３の前までの説明）
時刻ｔ２は、制御回路６０がＰＦＣ制御回路１１に対し点灯制御信号を出力する時刻である。
制御回路６０は、起動後、所定時間ｔｐが経過すると、ＰＦＣ制御回路１１に対し、スイッチング素子Ｑ１を駆動（発振）させるための点灯制御信号（動作開始信号）を時刻ｔ２において、出力する（図６のＳ２１１ｂ、図７（ｈ））。この点灯制御信号は、例えば、所定時間ｔｓ（例えば、１〜３秒）において出力される。
ＰＦＣ制御回路１１には、第二コンバータ回路５０から第二制御電源Ｖｃｃ２（待機用制御電源Ｖ２１）が供給されているので、点灯制御信号を入力すると、ＰＦＣ制御回路１１は、スイッチング素子Ｑ１の発振を開始する（図６のＳ２１４、図７（ｉ））。
【００５４】
スイッチング素子Ｑ１の発振が開始されると、整流回路ＤＢにより整流された整流電圧は、電圧値Ｖａから電圧値Ｖｂに昇圧される（図６のＳ２１４、図７（ｃ））。
すなわち、ＰＦＣ回路１０（ＰＦＣ制御回路１１）は、第二コンバータ回路５０により待機用制御電源Ｖ２１が動作用電圧として供給されると共に、制御回路６０により生成制御を受けることによって、制御電圧を生成する。
そして、ランプ接続検出電圧生成回路２２を介してランプ接続検出回路３０に電圧が印加され、制御回路６０が、光源モジュール２００が外されていることを検出するまでの動作は実施の形態１と同様である。
【００５５】
（時刻ｔ３から時刻ｔ６の前までの説明）
時刻ｔ３は、制御回路６０は、点灯制御信号の出力を停止する時刻である。
制御回路６０は、光源モジュール２００が外されていることを検出すると、ＰＦＣ制御回路１１に対する点灯制御信号の出力を停止する。換言すると、制御回路６０は、動作停止信号）をＰＦＣ制御回路１１へ出力する（図７（ｈ））。そして、スイッチング素子Ｑ１の発振（ＰＦＣ回路１０の動作）が停止する（図７（ｉ））。
以降の動作は時刻ｔ１と同じ為、説明を省略する。また、時刻ｔ５も時刻ｔ１と同様である。更に、時刻ｔ４も時刻ｔ２と同様である。
すなわち、図７の「Ａ」の部分が繰り返される。
【００５６】
（時刻ｔ６から時刻ｔ７の前までの説明）
時刻ｔ６は、光源モジュール２００が点灯装置１００に装着される時刻である。
時刻ｔ６において、光源モジュール２００が点灯装置１００に接続される（図６のＳ２０８、図７（ａ））。
【００５７】
（時刻ｔ７以降の説明）
時刻ｔ７は、光源モジュール２００装着後に、制御回路６０がＰＦＣ制御回路１１に対し点灯制御信号を出力する時刻である。
制御回路６０は、時刻ｔ７において、前述と同様にＰＦＣ制御回路１１に対し点灯制御信号を出力する（図６のＳ２１１ｂ、図７（ｈ））。
そして、制御回路６０が、時刻ｔ７におけるランプ接続検出信号のモニタのタイミング（図７（ｊ））で、電圧値Ｖｒ２を検出し、光源モジュール２００が点灯装置１００に接続されたと判定する（図６のＳ２１０）までの動作は実施の形態１と同じである。
そして、以降の動作も実施の形態１と同様で有る為、説明を省略する。
【００５８】
（実施の形態２の効果）
実施の形態２の点灯装置１００は、制御回路６０がＰＦＣ回路１０を起動させてから、点灯回路２０を起動させるので、点灯回路２０を起動させずに制御回路６０は光源モジュール２００の接続状態をモニタリングすることができる。
【００５９】
また、点灯回路２０を起動させずにＰＦＣ回路１０を起動しているので、点灯回路２０が動作することによる電力の損失をなくすことができる。
【符号の説明】
【００６０】
１０  ＰＦＣ回路、１１  ＰＦＣ制御回路、２０  点灯回路、２１  点灯制御回路、２２  ランプ接続検出電圧生成回路、３０  ランプ接続検出回路、４０  第一コンバータ回路、５０  第二コンバータ回路、６０  制御回路、１００  点灯装置、１５０  直流生成部、２００  光源モジュール、８００  照明器具、ＡＣ  交流電源、Ｃ１  コンデンサ、Ｃ２  コンデンサ、Ｄ１〜Ｄ２，Ｄ４  ダイオード、ＤＢ  整流回路、Ｌ１  インダクタ、Ｌ２  コイル、Ｌ２ｐ  一次巻線、Ｌ２ｓ  二次巻線、ＬＤ  発光ダイオード、Ｒ１，Ｒ２  抵抗、Ｒ３  検出抵抗、Ｒ２１，Ｒ２２，Ｒ３１〜Ｒ３３  抵抗、Ｒｓ  接続抵抗、Ｑ１，Ｑ２  スイッチング素子、Ｖｃｃ１  第一制御電源、Ｖｃｃ２  第二制御電源、Ｖｄｃ  直流電源。
【図１】
2014107251.tif 000003
【図２】
2014107251.tif 000004
【図３】
2014107251.tif 000005
【図４】
2014107251.tif 000006
【図５】
2014107251.tif 000007
【図６】
2014107251.tif 000008
【図７】
2014107251.tif 000009